(57)【要約】【課題】ロール体からスプールを取り外す作業の作業性が悪い。【解決手段】ロール体用治具２００は、ロール体１１２から該ロール体１１２を保持するスプール１５０を取り外すときに使用可能なロール体用治具であり、スプール１５０のフランジ１５２を軸方向で受ける受け面２０１ａを有する治具本体２０１を備え、治具本体２０１の受け面２０１ａの外周側には、周方向に沿って複数の引っ掛け爪部２０２が設けられ、引っ掛け爪部２０２は、受け面２０１ａとの間にスプール１５０のフランジ１５２が嵌り込むことが可能な隙間を有し、３つの引っ掛け爪部２０２は、径方向において、スプール１５０のフランジ１５２の突部１５４が引っ掛かり、突部１５４以外の部分では引っ掛からない位置に配置している。【選択図】図６
2015054758.tif 000002
【特許請求の範囲】
【請求項１】
ロール体から該ロール体を保持するスプールを取り外すときに使用されるロール体用治具であって、
治具本体と、
前記治具本体の周方向に設けられた複数の引っ掛け爪部と、を有し、
前記スプールの端部に設けられたフランジに形成された複数の突起部を、前記引っ掛け爪部に引っ掛け、前記ロール体と前記治具とを相対的に移動させることで、前記スプールが前記ロール体から取り外される
ことを特徴とするロール体用治具。
【請求項２】
前記治具本体と前記複数の引っ掛け部との間には、前記スプールのフランジを回転させたとき前記突起部が嵌り込む隙間が形成されている
ことを特徴とする請求項１に記載のロール体用治具。
【請求項３】
前記治具本体には、前記スプールの端部に設けられたギヤ部が入り込む中空部が形成されている
ことを特徴とする請求項１又は２に記載のロール体用治具。
【請求項４】
前記治具本体には、複数の引っ掛け爪部よりも外周に位置する鍔部が設けられ、
前記治具本体を床面に置いた状態で前記鍔部を脚で踏みつけることが可能である
ことを特徴とする請求項１ないし３のいずれかに記載のロール体用治具。
【請求項５】
請求項１ないし４のいずれかに記載のロール体用治具を備えていることを特徴とする画像形成装置。
【請求項６】
前記ロール体用治具は装置本体の下部に備えられていることを特徴とする請求項５に記載の画像形成装置。
【請求項７】
前記ロール体用治具は前記引っ掛け爪部が上方を向いた状態で備えられていることを特徴とする請求項５又は６に記載の画像形成装置。
【請求項８】
前記ロール体用治具は移動可能に備えられていることを特徴とする請求項５ないし７のいずれかに記載の画像形成装置。
【発明の詳細な説明】
【技術分野】
【０００１】
本発明はロール体用治具、画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）からなる記録ヘッドを用いた液体吐出記録方式の画像形成装置としてインクジェット記録装置などが知られている。
【０００３】
このような画像形成装置として、印刷媒体をロール状にしたロール体（ロール状印刷媒体）を使用するものがある（特許文献１）。
【先行技術文献】
【特許文献】
【０００４】
【特許文献１】特開２０１２−０６６９３２号公報
【発明の概要】
【発明が解決しようとする課題】
【０００５】
ところで、ロール体を交換するときには、ロール体を装置本体に装填するときに使用するスプールから取り外して、新たなロール体をスプールに取付ける作業を行う必要がある。
【０００６】
ところが、ロール体は重量があって取り扱いが困難であり、またロール体の芯部材である管の内径のわずかな変動等によって、管にスプールがはまり込んでスプールを外しにくくなる場合があるという課題がある。
【０００７】
本発明は上記の課題に鑑みてなされたものであり、ロール体からのスプールの取り外し作業の作業性を向上することを目的とする。
【０００８】
上記の課題を解決するため、本発明に係るロール体用治具は、
ロール体から該ロール体を保持するスプールを取り外すときに使用されるロール体用治具であって、
治具本体と、
前記治具本体の周方向に設けられた複数の引っ掛け爪部と、を有し、
前記スプールの端部に設けられたフランジに形成された複数の突起部を、前記引っ掛け爪部に引っ掛け、前記ロール体と前記治具とを相対的に移動させることで、前記スプールが前記ロール体から取り外される
構成とした。
【発明の効果】
【０００９】
本発明によれば、ロール体からのスプールの取り外し作業の作業性が向上する。
【図面の簡単な説明】
【００１０】
【図１】本発明に係るロール体用治具を適用可能なロール体を使用する画像形成装置の一例の外観斜視説明図である。
【図２】同装置の側面模式的説明図である。
【図３】同装置の画像形成部の要部平面説明図である。
【図４】ロール体を支持するスプールの端部部分の斜視説明図である。
【図５】スプールの側面説明図である。
【図６】本発明に係るロール体用治具の一例を示す斜視説明図である。
【図７】同治具を底面側から見た斜視説明図である。
【図８】同治具を使用したスプールの取り外し作業の説明に供する要部正面説明図である
【図９】同じくスプール側から見た要部斜視説明図である。
【図１０】同じくロール体用治具の底面側から見た要部斜視図である。
【図１１】前記画像形成装置にロール体用治具を備える例の説明に供する要部斜視説明図である。
【図１２】同じく平面説明図である。
【発明を実施するための形態】
【００１１】
以下、本発明の実施の形態について添付図面を参照して説明する。まず、本発明に係るロール体用治具を適用可能なロール体を使用する画像形成装置の一例について図１ないし図３を参照して説明する。図１は同画像形成装置の外観斜視説明図、図２は同じく側面模式的説明図、図３は同じく画像形成部の要部平面説明図である。 
【００１２】
この画像形成装置は、シリアル型画像形成装置であり、装置本体１０１と、装置本体１０１の下側に配置した給紙装置１０２とを備えている。なお、給紙装置１０２は装置本体１０１と別体で装置本体１０１の下側に配置されるものであるが、図２では、便宜上、装置本体１０１と一体で図示している。
【００１３】
装置本体１０１の内部には、給紙装置１０２から給紙されるロール状媒体であるロール紙１２０に画像を形成する画像形成部である画像形成部１０３が配置されている。
【００１４】
画像形成部１０３は、図示しない両側板にガイド部材であるガイドロッド１及びガイドステー２が掛け渡され、これらのガイドロッド１及びガイドステー２にキャリッジ５が矢印Ａ方向（主走査方向、キャリッジ移動方向）に移動可能に保持されている。
【００１５】
そして、主走査方向の一方側にはキャリッジ５を往復移動させる駆動源である主走査モータ８が配置されている。この主走査モータ８によって回転駆動される駆動プーリ９と主走査方向他方側に配置された従動プーリ１０との間にタイミングベルト１１が掛け回されている。このタイミングベルト１１にキャリッジ５の図示しないベルト保持部が固定され、主走査モータ８を駆動することによってキャリッジ５を主走査方向に往復移動させる。
【００１６】
キャリッジ５には、液体吐出ヘッド及びヘッドに液体を供給するヘッドタンクを一体にした複数（ここでは、４個）の記録ヘッド６ａ〜６ｄ（区別しないときは「記録ヘッド６」という。）が搭載されている。
【００１７】
ここで、記録ヘッド６ａと記録ヘッド６ｂ〜６ｄは主走査方向と直交する方向である副走査方向に１ヘッド分（１ノズル列分）位置をずらして配置されている。また、記録ヘッド６は、液滴を吐出する複数のノズルからなるノズル列を主走査方向と直交する副走査方向に配列し、滴吐出方向を下方に向けて搭載している。
【００１８】
また、記録ヘッド６ａ〜６ｄはいずれも２列のノズル列を有している。そして、記録ヘッド６ａ、６ｂは、いずれのノズル列からも同色である黒色の液滴を吐出する。記録ヘッド６ｃは、一方のノズル列からシアン（Ｃ）の液滴を吐出し、他方のノズル列は未使用ノズル列としている。また、記録ヘッド１１ｄは、一方のノズル列からイエロー（Ｙ）の液滴を、他方のノズル列からマゼンタ（Ｍ）の液滴を吐出する。
【００１９】
これにより、モノクロ画像については記録ヘッド６ａ、６ｂを使用して１スキャン（主走査）で２ヘッド分の幅で画像を形成でき、カラー画像については例えば記録ヘッド６ｂ〜６ｄを使用して形成することができる。なお、ヘッド構成はこれに限るものではなく、複数の記録ヘッドを主走査方向に全て並べて配置するものでもよい。
【００２０】
記録ヘッド６のヘッドタンクには、装置本体１０１に交換可能に装着されるメインタンクであるインクカートリッジから供給チューブを介して各色のインクが供給される。
【００２１】
また、キャリッジ５の移動方向に沿ってエンコーダシート４０が配置され、キャリッジ５にはエンコーダシート４０を読取るエンコーダセンサ４１が設けられている。これらのエンコーダシート４０及びエンコーダセンサ４１によってリニアエンコーダ４２を構成し、リニアエンコーダ４２の出力からキャリッジ５の位置及び速度を検出する。
【００２２】
一方、キャリッジ５の主走査領域のうち、記録領域では、給紙装置１０２からロール紙１２０が給送され、搬送手段２１によってキャリッジ５の主走査方向と直交する方向（副走査方向、用紙搬送方向：矢印Ｂ方向）に間欠的に搬送される。
【００２３】
搬送手段２１は、給紙装置１０２から給紙されるロール状媒体であるロール紙１２０を搬送する搬送ローラ２３及び搬送ローラ２３に対向配置した加圧ローラ２４を有している。そして、搬送ローラ２３の下流側に、複数の吸引穴が形成された搬送ガイド部材２５と、搬送ガイド部材２５の吸引穴から吸引を行う吸引手段としての吸引ファン２６とを有している。
【００２４】
この搬送手段２１の下流側には、図２に示すように、記録ヘッド６で画像が形成されたロール紙１２０を所定の長さで切断する切断手段としてのカッタ２７が配置されている。
【００２５】
さらに、キャリッジ５の主走査方向の一方側には搬送ガイド部材２５の側方に記録ヘッド６の維持回復を行う維持回復機構８０が配置されている。
【００２６】
給紙装置１０２は、ロール体１１２を有している。ロール体１１２は、芯部材である管１１４に長尺のロール状媒体であるシート（これを上述したように「ロール紙」という。）１２０をロール状に巻き付けたものである。
【００２７】
ここで、本実施形態では、ロール体１１２として、ロール紙１２０の終端を管１１４に糊付けなどの接着で固定したもの、ロール紙１２０の終端を管１１４に糊付けなどで接着していない非固定のもののいずれも装着可能である。
【００２８】
そして、装置本体１０１側には、給紙装置１０２のロール体１１２から引き出されるガイドするガイド部材１３０と、ロール紙１２０を湾曲させて上方に給送する搬送ローラ対１３１とが配置されている。
【００２９】
搬送ローラ対１３１を回転駆動することで、ロール体１１２から繰り出されるロール紙１２０は、搬送ローラ対１３１とロール体１１２間で張られた状態で搬送される。そして、ロール紙１２０は、搬送ローラ対１３１を経て、搬送手段２１の搬送ローラ２３と加圧ローラ２４との間に送り込まれる。
【００３０】
このように構成したこの画像形成装置においては、キャリッジ５を主走査方向に移動し、給紙装置１０２から給送されるロール紙１２０を、搬送手段２１によって間欠的に送る。そして、記録ヘッド６を画像情報（印字情報）に応じて駆動して液滴を吐出させることによって、ロール紙１２０上に所要の画像が形成される。この画像が形成されたロール紙１２０は、カッタ２７で所定の長さにカットされ、装置本体１０１の前面側に配置される図示しない排紙ガイド部材に案内されてバケット内に排出されて収納される。
【００３１】
次に、この画像形成装置におけるロール体１１２を支持するスプールについて図４及び図５を参照して説明する。図４はスプールの端部部分の斜視説明図、図５はスプールの側面説明図である。
【００３２】
スプール１５０は、ロール体１１２の芯管を嵌め込む軸部材１５１の端部にフランジ１５２が取付けられている。
【００３３】
また、フランジ１５２は、周方向（スプール１５０軸心周り方向）で複数、ここでは、等角度配置の３つの突起部１５４を有している。具体的には、中心からの突起部１５４外周までの長さＬ１は、その他の周囲部分１５３までの長さＬ２よりも長くなっている。
【００３４】
また、スプール１５０の軸部材１５１の端部には図示しない給紙部の駆動源に連結されるギヤ部１５５が設けられている。
【００３５】
また、フランジ１５２は、ロール体１１２の芯管の内周と当たって接触してロール体１１２を支持するための軸芯部１５６を備えている
【００３６】
次に、本発明に係るロール体用治具について図６及び図７を参照して説明する。図６は同ロール体用治具の斜視説明図、図７は同治具を底面側から見た斜視説明図である。
【００３７】
このロール体用治具２００は、ロール体１１２から該ロール体１１２を保持するスプール１５０を取り外すときに使用可能なロール体用治具である。
【００３８】
このロール体用治具２００は、スプール１５０のフランジ１５２を軸方向で受ける受け面２０１ａを有する治具本体２０１を備えている。
【００３９】
この治具本体２０１の受け面２０１ａの外周側には、周方向に沿って複数の引っ掛け爪部２０２が設けられている。
【００４０】
引っ掛け爪部２０２は、受け面２０１ａとの間に前記スプール１５０のフランジ１５２が嵌り込むことが可能な隙間を有する。また、３つの引っ掛け爪部２０２は、径方向において、前記スプール１５０のフランジ１５２の突起部１５４が引っ掛かり、突起部１５４以外の部分では引っ掛からない位置に配置している。
【００４１】
また、引っ掛け爪部２０２には、段差部２０２ａが設けられている。この段差部２０２ａは、ロール体１１２の外周が嵌り込むことが可能な位置に設けられている。
【００４２】
また、治具本体２０１の受け面２０１ａとは反対側に、治具本体２０１よりも径の大きな鍔部２０３が形成されている。この鍔部２０３は、スプール１５０の取り外し作業を行うときに、使用者が鍔部２０３を足で踏むことが可能な大きさとしている。
【００４３】
また、治具本体２０１には、スプール１５０の端部に設けられるギヤ部１５５が干渉することなく入り込む中空部２０５が形成されている。
【００４４】
次に、このように構成したロール体用治具２００を使用してスプール１５０をロール体１１２から取り外す作業について図８ないし図１０も参照して説明する。図８は同説明に要する要部正面説明図、図９は同じくスプール側から見た要部斜視説明図、図１０は同じくロール体用治具の底面側から見た要部斜視図である。
【００４５】
まず、ロール体用治具２００を床面５００に置く。そして、スプール１５０が取付けられているロール体１１２を画像形成装置から取り外す。このロール体１１２を立てた状態にして、スプール１５０のフランジ１５２を、軸方向からロール体用治具２００の治具本体２０１の受け面２０１ａに突き当てる。このとき、フランジ１５２の部分１５３が引っ掛け爪部２０２に対向する位置関係とする。
【００４６】
この状態でロール体１１２とともにスプール１５０を回転させることで、図８及び図９に示すように、フランジ１５２の突起部１５４が引っ掛け爪部２０２に引っ掛かる状態にする。
【００４７】
そして、治具本体２０１の鍔部２０３を足で踏みつけてロール体１１２を引き上げ、ロール体用治具２００に対してロール体１１２を相対的に軸方向に移動させることにより、スプール１５０はロール体用治具２００側に残るので、スプール１５０をロール体１１２から取り外すことができる。
【００４８】
このとき、スプール１５０のギヤ部１５５は、図１０に示すように、治具本体２０１の中空部２０５に入り込むので、ギヤ部１５５が損傷することが防止される。
【００４９】
このように、本発明に係るロール体用治具を使用することで、ロール体からスプールを取り外す作業の作業性が向上する。
【００５０】
次に、ロール体用治具２００を前述した画像形成装置に備える例について図１１及び図１２を参照して説明する。図１１は同説明に供する要部斜視説明図、図１２は同じく平面説明図である。
【００５１】
この例では、装置本体１０１を支持しているスタンドラック１００の脚部１００ａ、つまり、装置本体１０１の下部に、台座としての治具受け部材３００を軸３０１で回転可能に取り付けている。
【００５２】
そして、この治具受け部材３００上にロール体用治具２００を、上方に向けて載せ置いている。
【００５３】
このように構成したので、治具受け部材３００を使用する場合、装置本体１０１の近くに置かれているので容易に使用可能状態にすることができ、使用しない場合でも紛失すること少なくなくなる。
【００５４】
また、ロール体用治具２００が装置本体１０１の下部に置かれていることで、そのままロール体用治具２００を使用することができる。
【００５５】
また、ロール体用治具２００が上方に向いて置かれていることで、治具本体２０１の自重を引き抜きの力とすることができ、少ない力で引き抜くことができる。
【００５６】
また、回転可能な治具受け部材３００上にロール体用治具２００を固定しておけば、使用時には引き出す（図１２で矢印方向に回転させる）ことで使用でき、使用しない場合には収納することで、スペースの有効活用を図ることができる。
【００５７】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００５８】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００５９】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００６０】
また、「画像」とは平面的なものに限らず、立体的に形成されたものに付与された画像、また立体自体を三次元的に造形して形成された像も含まれる。
【００６１】
また、上記実施形態ではロール紙を使用する画像形成装置に適用しているが、シートを使用する画像形成装置にも同様に適用することができる。
【符号の説明】
【００６２】
５  キャリッジ
６  記録ヘッド（液体吐出ヘッド）
８  主走査モータ（駆動源）
２１  搬送手段
２３  搬送ローラ
２４  加圧ローラ
１００  スタンドラック
１０１  装置本体
１０２  給紙装置
１１２  ロール体
１２０  ロール紙（シート、ロール状媒体）
１５０  スプール
１５１  軸部材
１５２  フランジ
１５４  突起部
１５５  ギヤ部
２００  ロール体用治具
２０１  治具本体
２０２  引っ掛け爪部
２０３  鍔部
２０５  中空部
３００  治具受け部材
【図１】
2015054758.tif 000003
【図２】
2015054758.tif 000004
【図３】
2015054758.tif 000005
【図４】
2015054758.tif 000006
【図５】
2015054758.tif 000007
【図６】
2015054758.tif 000008
【図７】
2015054758.tif 000009
【図８】
2015054758.tif 000010
【図９】
2015054758.tif 000011
【図１０】
2015054758.tif 000012
【図１１】
2015054758.tif 000013
【図１２】
2015054758.tif 000014